(57)【特許請求の範囲】
【請求項１】
流体の流入口（４）および吐出口（５）を備えたハウジング（２）と、前記ハウジング（２）内に架設されたダイアフラム（８）と、前記ダイアフラム（８）に連結されて前記ハウジング（２）内の圧力変動により移動する移動体（９）と、前記移動体（９）を開弁方向に弾性付勢するばね手段（１０）と、前記移動体（９）に設けられた弁体部（１９）と、前記弁体部（１９）が接離する弁座部（１５）とを有し、常時開で前記ハウジング（２）内の圧力が所定値以上に達したときに前記移動体（９）が前記ばね手段（１０）の弾性に抗して閉弁方向に移動する圧力感知式開閉弁（１）において、
前記移動体（９）の移動を摺動自在にガイドするガイド部（１６）を前記弁座部（１５）の背面側に一体成形するとともに、前記ガイド部（１６）の内周側に摺動自在に配置される前記移動体（９）の外周面に切欠状の流体通路（２０）を設け、
前記ハウジング（２）に対して一方向から挿抜自在に差し込まれるカラー（７）を有し、前記カラー（７）の内周部に前記弁座部（１５）およびガイド部（１６）を一体成形し、前記カラー（７）に前記移動体（９）およびダイアフラム（８）を組み付けた状態でこれらの部品を纏めて前記ハウジング（２）に装着することを特徴とする圧力感知式開閉弁。
【請求項２】
請求項１の圧力感知式開閉弁において、
ハウジング（２）が、カラー（７）を差し込むボディ（３）と、前記ボディ（３）の開口部に被せられる蓋（６）とを有し、前記ボディ（３）に前記カラー（７）を差し込んだときに前記ボディ（３）に当接して装着の位置決めをなす位置決め部（３２）を前記カラー（７）に設けるとともに、前記ボディ（３）の開口部に前記蓋（６）を被せたときに前記カラー（７）に当接して前記ボディ（３）との間に前記カラー（７）を挟み込む挟持部（３４）を前記蓋（６）に設けたことを特徴とする圧力感知式開閉弁。
【請求項３】
請求項２の圧力感知式開閉弁において、
蓋（６）に向けて突出するスペーサ部（３１）をカラー（７）に一体成形し、ボディ（３）の開口部に前記蓋（６）を被せたときに前記蓋（６）が前記スペーサ部（３１）に当接することにより、前記蓋（６）と前記カラー（７）との間にダイアフラム（８）の外周部（８ａ）を装着する所定の幅（ｗ）を備えた装着空間（３５）を形成することを特徴とする圧力感知式開閉弁。
【発明の詳細な説明】
【０００１】
【発明の属する技術分野】
本発明は、弁装置の一種である圧力感知式開閉弁に関するものである。
【０００２】
【従来の技術】
従来から、図５に示す圧力感知式開閉弁５１が知られており、以下のように構成されている。
【０００３】
すなわち先ず、流体の流入口５４および吐出口５５を備えたボディ５３が設けられており、このボディ５３に上蓋５６および下蓋５７がそれぞれ組み付けられて、この三部品５３，５６，５７によってハウジング５２が形成されている。
【０００４】
また、ハウジング５２の内部にダイアフラム５８が架設されており、このダイアフラム５８の下側に、ハウジング５２内の圧力変動により閉弁方向（図上上方向）または開弁方向（図上下方向）に移動する移動体５９が連結されるとともにダイアフラム５８の上側に、移動体５９を開弁方向に弾性付勢するばね手段６０が設けられている。ダイアフラム５８は、その外周部５８ａをボディ５３および上蓋５６の間に挟み込まれることによってハウジング５２側に連結されるとともに、その内周部５８ｂをスプリングリテーナ６１およびダイアフラムリテーナ６２の間に挟まれて、両リテーナ６１，６２がナット６３により移動体５９に固定されることによって移動体５９側に連結されている。ばね手段６０はコイルスプリングよりなり、このコイルスプリングが上蓋５６およびスプリングリテーナ６１の間に介装されている。
【０００５】
移動体５９はシャフト状の部品であって、その外周部に傾斜面状の弁体部６４が設けられており、この弁体部６４が移動体５９の移動に伴って接離する弁座部６５が移動体５９の外周側にボディ５３の一部として設けられている。
【０００６】
また、弁座部６５に対して弁体部６４が傾いて当接することがないように、弁体部６４を設けた移動体５９の移動を摺動自在にガイドするガイド部６６が下蓋５７に円筒状のものとして設けられている。また、ガイド部６６の外周には、下蓋５７およびボディ５３の間を密封するＯリング等のパッキン６７が装着されている。
【０００７】
上記構成の圧力感知式開閉弁５１は、以下のように作動する。
【０００８】
すなわち先ず、定常時には、図示したように、ばね手段６０によってダイアフラム５８および移動体５９が図上下方へ押圧されており、弁体部６４が弁座部６５から離れて当該開閉弁５１は開弁している。したがって、流入口５４から当該開閉弁５１内に送給される定常圧力の流体はそのまま吐出口５５から外部へ吐出される。
【０００９】
これに対して、送給流体の圧力が上昇して当該開閉弁５１内の圧力が所定値以上に達すると、ダイアフラム５８および移動体５９がこの圧力を受けて、ばね手段６０を押し縮めながら図上上方へ移動する。したがって、弁体部６４が弁座部６５に当接して当該開閉弁５１が閉弁し、高圧流体の送給を停止する。
【００１０】
また、この閉弁状態から、送給流体の圧力が低下して当該開閉弁５１内の圧力が所定値を下回ると、ダイアフラム５８および移動体５９がばね手段６０の弾性によって図上下方へ移動する。したがって、弁体部６４が弁座部６５から離れて当該開閉弁５１が開弁し、定常圧力の流体の送給が再開される。
【００１１】
このように上記構成の開閉弁５１は、送給流体の圧力を感知して、その変化に応じて自動的に開閉作動するものであるが、上記構成に基づいて以下のような不都合を有している。
【００１２】
すなわち先ず、閉弁時において流体の送給を完全に停止するには、弁座部６５に対して弁体部６４を全周に亙って精度良く当接させる必要があるが、上記開閉弁５１では、弁座部６５がボディ５３に設けられる一方で、弁体部６４を設けた移動体５９の移動をガイドするガイド部６６がボディ５３とは別体の下蓋５７に設けられている。したがって、ボディ５３に対する下蓋５７の組付精度如何によって弁体部６４が弁座部６５に対して偏心したり傾いたりすることがあり、このようなことがあると弁体部６４が弁座部６５に対して精度良く当接せず、よって閉弁時に流体が漏れることがある。また、上記開閉弁５１では、弁座部６５およびガイド部６６が互いに上下方向に離れた位置に配置されているために、ガイド部６６がボディ５３に対して傾いた状態で組み付けられると、この傾きによる組付寸法誤差が弁座部６５と弁体部６４との関係では増幅されることになる。したがって、これによっても弁体部６４が弁座部６５に対して精度良く当接しないことになる。
【００１３】
また、上記開閉弁５１では、その組立または分解に際して、ボディ５３の上下両方向から組立作業または分解作業を行なう必要があるために、作業性が余り良くないという不都合がある。
【００１４】
すなわち、上記開閉弁５１を組み立てる際には、ボディ５３に対してその下方から、下蓋５７、移動体５９およびパッキン６７を予め組み立てた組立体を挿入して下蓋５７をボディ５３に固定し、次いで、ボディ５３の上方から移動体５９の上端部に、ダイアフラムリテーナ６２、ダイアフラム５８、スプリングリテーナ６１を差し込んでナット６３により固定し、次いで、ばね手段６０を組み付けた上蓋５６をボディ５３に被せて固定する。分解する際には、この手順が反対となる。したがって、組立および分解何れの場合も、ボディ５３の上下両方向から作業を行なう必要があり、よってその作業性が余り良くないものである。
【００１５】
また、上記開閉弁５１では、ダイアフラム５８の内周部５８ｂをスプリングリテーナ６１およびダイアフラムリテーナ６２の間に挟み込んで移動体５９に固定する構成であるために、金属製のダイアフラムリテーナ６２がハウジング５２内で送給流体に接液する位置に配置されている。したがって、この金属製のダイアフラムリテーナ６２にしばしば錆が発生することがあり、よってそのメンテナンスが繁雑であるという不都合がある。
【００１６】
【発明が解決しようとする課題】
本発明は以上の点に鑑みて、弁座部とガイド部との間に組付寸法誤差が発生することがなく、もって弁座部に対して弁体部を精度良く当接させることが可能な開閉弁を提供することを目的とする。
【００１７】
またこれに加えて、ハウジングに対して移動体およびダイアフラム等の内挿部品を一方向から組み付けることができ、もって組立および分解の作業性を向上させることが可能な開閉弁を提供することを目的とする。
【００１８】
また、ハウジング内に固定的に装着されるカラーがハウジング内でその差込み方向にガタついたり、閉弁時に移動体および弁体部に押されて移動したりすることがなく、もってこのカラーに設けられる弁座部に対する弁体部の着座姿勢を安定化させることが可能な開閉弁を提供することを目的とする。
【００１９】
更にまた、カラーおよび蓋の間に装着されるダイアフラムが両者の間に強く挟み込まれることがなく、もってこの挟込みによりダイアフラムが破損するのを防止することが可能な開閉弁を提供することを目的とする。
【００２０】
【課題を解決するための手段】
上記目的を達成するため、本発明の請求項１による開閉弁は、流体の流入口および吐出口を備えたハウジングと、前記ハウジング内に架設されたダイアフラムと、前記ダイアフラムに連結されて前記ハウジング内の圧力変動により移動する移動体と、前記移動体を開弁方向に弾性付勢するばね手段と、前記移動体に設けられた弁体部と、前記弁体部が接離する弁座部とを有し、常時開で前記ハウジング内の圧力が所定値以上に達したときに前記移動体が前記ばね手段の弾性に抗して閉弁方向に移動する圧力感知式開閉弁において、前記移動体の移動を摺動自在にガイドするガイド部を前記弁座部の背面側に一体成形するとともに、前記ガイド部の内周側に摺動自在に配置される前記移動体の外周面に切欠状の流体通路を設け、前記ハウジングに対して一方向から挿抜自在に差し込まれるカラーを有し、前記カラーの内周部に前記弁座部およびガイド部を一体成形し、前記カラーに前記移動体およびダイアフラムを組み付けた状態でこれらの部品を纏めて前記ハウジングに装着することを特徴とするものである。
【００２１】
また、本発明の請求項２による開閉弁は、上記した請求項１の圧力感知式開閉弁において、ハウジングが、カラーを差し込むボディと、前記ボディの開口部に被せられる蓋とを有し、前記ボディに前記カラーを差し込んだときに前記ボディに当接して装着の位置決めをなす位置決め部を前記カラーに設けるとともに、前記ボディの開口部に前記蓋を被せたときに前記カラーに当接して前記ボディとの間に前記カラーを挟み込む挟持部を前記蓋に設けたことを特徴とするものである。
【００２２】
また、本発明の請求項３による開閉弁は、上記した請求項２の圧力感知式開閉弁において、蓋に向けて突出するスペーサ部をカラーに一体成形し、ボディの開口部に前記蓋を被せたときに前記蓋が前記スペーサ部に当接することにより、前記蓋と前記カラーとの間にダイアフラムの外周部を装着する所定の幅を備えた装着空間を形成することを特徴とするものである。
【００２３】
上記構成を備えた本発明の請求項１による開閉弁においては、弁体部を設けた移動体の移動を摺動自在にガイドするガイド部が弁座部の背面側に一体成形されているために、この互いに一体成形された弁座部およびガイド部には組付寸法誤差が発生する余地がなく、移動体は、弁座部と一体のガイド部にガイドされつつ移動してそのまま弁座部に当接することになる。尚、このように弁座部およびガイド部を一体化すると、ガイド部および移動体間に開弁時における十分な開口面積の流体流路が確保されないことになるため、これを確保すべく本発明では、ガイド部の内周側に摺動自在に配置される移動体の外周面に切欠状の流体通路を設けることにより、この流体通路を開弁時における流体流路とすることにした。
【００２４】
またこれに加えて、上記構成を備えた本発明の請求項１による開閉弁においては、弁座部およびガイド部を一体成形したカラーに移動体およびダイアフラムを組み付けた状態でこれらの部品を纏めてハウジングに装着するために、これらの内挿部品をハウジングに対して一方向から組み付けることが可能となる。
【００２５】
また、上記構成を備えた本発明の請求項２による開閉弁においては、ボディにカラーを差し込んだときに、カラーに設けた位置決め部がボディに当接することによってボディに対するカラーの装着位置の位置決めがなされるとともに、引き続きボディの開口部に蓋を被せたときに、蓋に設けた挟持部がカラーに当接することによってカラーをボディと蓋との間に挟み込むために、カラーをボディと蓋との間にガタつきなしで装着することが可能となる。
【００２６】
更にまた、上記構成を備えた本発明の請求項３による開閉弁においては、ボディの開口部に蓋を被せたときに、カラーに設けたスペーサ部に蓋が当接することによって、蓋とカラーとの間にダイアフラムの外周部を装着する所定の幅を備えた装着空間が形成され、この装着空間の幅が、上記請求項２によるガタつきなしの装着により、不変なものとされるために、ダイアフラムがカラーと蓋との間に必要以上に強く挟み込まれるのを防止することが可能となる。
【００２７】
【発明の実施の形態】
つぎに本発明の実施例を図面にしたがって説明する。
【００２８】
図１は、本発明の実施例に係る圧力感知式開閉弁１の断面を示しており、この開閉弁１は以下のように構成されている。
【００２９】
すなわち先ず、周壁部３ａおよび端壁部３ｂを一体に備えて略有底円筒状に形成されたボディ３が設けられており、このボディ３の周壁部３ａの円周上一箇所に流体の流入口４が設けられるとともに、端壁部３ｂに流体の吐出口５が設けられている。また、このボディ３の開口部を閉塞すべく、その開放端部３ｃ側に一体に設けられた矩形フランジ部３ｅ（図４参照）に蓋６が所要本数の組付ボルト３６（図２参照）によって組み付けられており、このボディ３および蓋６の二部品によってハウジング２が形成されている。
【００３０】
また、このハウジング２におけるボディ３の周壁部３ａの内周側にカラー７が組み付けられており、また、このカラー７におけるボディ３の開放端部３ｃ側（以下、右側とも称する）にダイアフラム８が架設されている。また、ダイアフラム８におけるボディ３の端壁部３ｂ側（以下、左側とも称する）であってカラー７の内周側に、ハウジング２内の圧力変動により閉弁方向（図上右方向）または開弁方向（図上左方向）に向けて移動する移動体（シャフトとも称する）９が連結されるとともに、ダイアフラム８の右側に、このダイアフラム８を介して移動体９を開弁方向に弾性付勢するばね手段１０が設けられている。
【００３１】
カラー７は、略円筒状に形成された環状部品であって、その外周部に一体に設けた外向きフランジ状の係合部７ａを、ボディ３の周壁部３ａの内周部に設けた段部状の係合部３ｄに突き当てることによってボディ３に対して軸方向に位置決めされている。また、その円周上２箇所には、流入口４とカラー７の内周側の弁室１１とを連通させる連通孔１２が設けられており、その外周部には連通孔１２の軸方向両側に位置してそれぞれ、このカラー７とボディ３との間を密封するＯリング等のパッキン１３，１４が装着されている。
【００３２】
また、このカラー７の内周部であって端壁部３ｂ側端部（以下、左端部とも称する）近傍には、内向きフランジ状を呈する環状の突起部７ｂが一体に設けられており、この突起部７ｂの端壁部３ｂ側端面（以下、左端面とも称する）に環状の弁座部１５が一体に設けられるとともに、この弁座部１５の右側すなわち背面側に、移動体９の移動を摺動自在にガイドする円筒面状のガイド部１６が一体に設けられている。更にまた、このカラー７の開放端部３ｃ側端面（以下、右端面とも称する）には、環状の抜止め突起１７ａを有するダイアフラム保持部１７が一体に設けられている。
【００３３】
移動体９は、略円柱状に形成されたシャフト状の部品であって、カラー７の内周側であって更にこのカラー７の内周部に設けられたガイド部１６の内周側に軸方向に摺動自在に内挿されている。この移動体９の外周面であってその左端部近傍には外向きフランジ状を呈する環状の突起部９ａが設けられており、この突起部９ａの右側に環状溝状の弁体保持部１８が設けられるとともに、この弁体保持部１８に環状の弁体部１９が装着されている。この弁体部１９は断面略矩形状を呈する環状の部品であって、その右端面をもって弁座部１５に対して接離する。
【００３４】
また、この移動体９の外周部に、開弁時に流体を通過させるための切欠状の流体通路２０が複数等配状に設けられている。この流体通路２０はそれぞれ軸方向に沿って延びる溝状のものとして形成されており、各溝内の左端部には、弁体保持部１８の一部として弁体部１９を保持する小突起２１が設けられている。この小突起２１の高さ寸法は溝の深さ寸法よりも小さく形成されている。また、この移動体９の右端面には、環状の抜止め突起２２ａを有するダイアフラム保持部２２が一体に設けられている。
【００３５】
ダイアフラム８は、可撓性を備えた膜状の部品であって、その外周部（外周取付部とも称する）８ａを、カラー７に設けたダイアフラム保持部１７と蓋６との間に挟み込まれることによってハウジング２側に連結されるとともに、その内周部（内周取付部とも称する）８ｂを、移動体９に設けたダイアフラム保持部２２と、移動体９の右端面に取付ボルト２４により固定されるスプリングリテーナ２３との間に挟み込まれることによって移動体９側に連結されている。
【００３６】
ばね手段１０は、所定のばね力を備えたコイルスプリングによって構成されており、このコイルスプリングがスプリングリテーナ２３と蓋６との間に介装されている。
【００３７】
また、蓋６には、この蓋６とダイアフラム８とに囲まれたダイアフラム室２５を大気開放するための通気孔２６が設けられている。
【００３８】
上記構成部品にあって、ボディ３、蓋６、カラー７および移動体９はそれぞれ防錆または耐薬品性等の観点から所定の樹脂を材料として成形されており、樹脂材料の種類としては、ポリオキシメチレン（ＰＯＭ）、ポリアミド（ＰＡ）、ポリフェニレンオキサイド（ＰＰＯ）、ポリプロピレン（ＰＰ）またはポリテトラフルオロエチレン（ＰＴＦＥ）などが好適である。また、ダイアフラム８、弁体部１９およびパッキン１３，１４はそれぞれ所定の弾性を備えたゴム状弾性材を材料として成形されており、ゴム材料の種類としては、エチレンプロピレン（ＥＰ）、ニトリル（ＮＢＲ）、ＥＰＭ、ＦＫＭまたはＶＭＱなどが好適である。また、ばね手段１０であるコイルスプリング、スプリングリテーナ２３およびボルト２４はそれぞれ金属製である。
【００３９】
上記構成の開閉弁１は、以下のように作動する。
【００４０】
すなわち先ず、定常時には、ばね手段１０であるコイルスプリングによってダイアフラム８および移動体９が図上左方向へ押圧され移動せしめられており、弁体部１９は弁座部１５から離れて、当該開閉弁１は開弁している。したがって、流入口４から当該開閉弁１内に送給される定常圧力の流体はそのまま吐出口５から外部へ吐出される。
【００４１】
この開弁状態において、送給流体の圧力が上昇して当該開閉弁１内の圧力が所定値以上に達すると、ダイアフラム８および移動体９がこの圧力を受けて、ばね手段１０を押し縮めながら図上右方向へ移動する。したがって、弁体部１９が弁座部１５に当接して、当該開閉弁１が閉弁し、高圧流体の送給が停止される。図１は、この閉弁状態を示している。
【００４２】
また、この閉弁状態において、送給流体の圧力が低下して当該開閉弁１内の圧力が所定値を下回ると、ダイアフラム８および移動体９がばね手段１０の弾性によって図上左方向へ移動する。したがって、弁体部１９が弁座部１５から離れて当該開閉弁１が開弁し、定常圧力の流体の送給が再開される。
【００４３】
したがって、この開閉弁１は、送給流体の圧力を感知して、その変化に応じて自動的に開閉作動するものであり、例えば、水道水（ポンプ水）をフィルター等を介して供給する場合にフィルターユニットの底部に取り付けられ、給水時の水圧が作用した場合にはこれを封止し、フィルター洗浄液などの低圧流体のみを排出するように用いられる。
【００４４】
この開閉弁１は、上記構成により以下の作用効果を奏する点に特徴を有している。
【００４５】
すなわち先ず、弁体部１９を設けた移動体９の移動を摺動自在にガイドするガイド部１６が弁座部１５と同じくカラー７の一部として弁座部１５の背面側に一体成形されているために、この互いに一体成形された弁座部１５およびガイド部１６は互いに組み付けられるということがなく、よって互いの組付けに関して寸法誤差が発生することのないものである。したがって、移動体９は、弁座部１５と一体のガイド部１６にガイドされつつ移動してそのまま弁座部１５に当接し、弁座部１５に対して偏心したり傾いたりすることなく精度良く当接する。したがって、閉弁時に弁座部１５と弁体部１９との間から流体が漏れるのを防止することができ、閉弁時おける流体の送給を完全に停止することができる。
【００４６】
また、ガイド部１６の内周側に摺動自在に配置される移動体９の外周部に溝状を呈する流体通路２０が複数等配状に形成されているために、開弁時、移動体９がガイド部１６に摺動自在に接触していても、両者９，１６の間には十分な開口面積の流体流路が確保される。したがって、ガイド部１６が弁座部１５の背面側に一体成形されて開弁時にガイド部１６に対して移動部９が接触したままであっても、十分な量の流体を送給することが可能となり、流体の送給に支障を来たすことがない。
【００４７】
また、上記構成の開閉弁１は、弁座部１５およびガイド部１６を一体成形したカラー７に移動体９およびダイアフラム８を組み付けた状態でこれらの部品を纏めてハウジング２のボディ３に装着するものであるために、これらの内挿部品をボディ３に対して一方向から組み付けることが可能であり、また、これらの内挿部品をボディ３から一方向に取り外すことが可能である。したがって、組立および分解時における作業性を向上させることができる。尚、組立手順は以下のとおりである。
【００４８】
すなわち先ず、予めパッキン１３，１４を装着したカラー７に、予め弁体部１９を装着した移動体９を図上左方向から挿し込み、次いで、この移動体９の右端部にダイアフラム８およびスプリングリテーナ２３を組付ボルト２４によって固定する。次いで、このカラー７、パッキン１３，１４、移動体９、弁体部１９、ダイアフラム８、スプリングリテーナ２３およびボルト２４よりなる組立体を纏めてハウジング２のボディ３に対してその開放端部３ｃ側から挿入し、次いで、ばね手段１０および蓋６をボディ３に組み付け、蓋６を組付ボルト３６（図２参照）によってボディ３に固定する。分解手順はこの反対である。
【００４９】
また、上記構成の開閉弁１においては、移動体９の右端部に一体成形したダイアフラム保持部２２と、移動体９の右端部に固定されるスプリングリテーナ２３との間にダイアフラム８を装着する構成であるために、接液により錆が発生する虞のあるダイアフラムリテーナ等の金属部品を接液側に備えていなくても、ダイアフラム８を移動体９側に連結することが可能である。したがって、金属部品の接液による錆の発生等に伴う部品交換を必要とせず、よってそのメンテナンス性を向上させることができる。
【００５０】
つぎに、図２は、上記実施例に係る圧力感知式開閉弁１の要部断面を示しており、この図２の要部断面図では、ハウジング２の一部であるボディ３とパッキン１４とのみが断面で描かれており、カラー７、ダイアフラム８および蓋６はそれぞれ外観で描かれている。また、図３はカラー７単品の斜視図であり、図４はボディ３単品の図２におけるＡ方向矢視図である。
【００５１】
上記したように、当該開閉弁１の組立時、ボディ３の内側にカラー７を差し込むと、カラー７は、その外周部に設けた外向きフランジ状の係合部７ａが、ボディ３の周壁部３ａの内周部に設けた段部状の係合部３ｄに突き当てられることによってボディ３に対して軸方向に位置決めされるが、このカラー７に設けた係合部７ａには、図３に良く示されているように、その周りに位置して、複数（図では八個）のブロック状のスペーサ部３１が更に一体成形されて、このスペーサ部３１の一端面３１ａが係合部７ａの一端面７ｃと面一状の面をなしており、このスペーサ部３１の一端面３１ａも係合部７ａの一端面７ｃと同時にボディ３の係合部３ｄに当接して位置決め作用を奏する。したがってこの実施例では、スペーサ部３１の一端面３１ａおよび係合部７ａの一端面７ｃの双方によって、ボディ３にカラー７を差し込んだときにボディ３に当接して装着位置の位置決めをなす位置決め部３２が形成されている。一方、ボディ３には、図４に示すように、各スペーサ部３１を受け入れて当接させるための座ぐり状の凹部３３がスペーサ部３１の数、配置および端面形状に合わせて形成されており、これにより係合部３ｄが拡大されている。
【００５２】
また、ブロック状のスペーサ部３１はそれぞれ、その他端面３１ｂが係合部７ａの他端面７ｄよりも軸方向に突出して蓋６に向かって長く形成されており、よってボディ３の開口部に蓋６を被せると、蓋６がボディ３の開放端部３ｃではなく、このスペーサ部３１の他端面３１ｂに当接することによって差込みが停止される。したがって、カラー７に設けたスペーサ部３１が、ボディ３に設けた係合部３ｄと蓋６との間に挟まれることによって、カラー７がボディ３と蓋６との間に挟み込まれることになり、これによりハウジング２内に固定的に装着されるべきカラー７がハウジング２内で軸方向にガタついたり、閉弁時に移動体９および弁体部１９に押されて軸方向に移動したりするのを防止することができる。蓋６の一端面には、装着時にボディ３の開放端部３ｃの内側に差し込まれる環状の突起部６ａが一体に設けられており、この突起部６ａの外側に、ボディ３の開口部に蓋６を被せたときにカラー７に当接してボディ３との間にカラー７を挟み込む挟持部３４が段部状のものとして形成されている。
【００５３】
また、このようにして、蓋６に設けた挟持部３４がカラー７に設けたスペーサ部３１に当接することによって蓋６とカラー７とが互いに位置決めされると、蓋６の突起部６ａとカラー７の係合部７ａとの間に、所定の大きさの軸方向幅ｗを備えた環状の装着空間３５が形成され、この装着空間３５にゴム状弾性材製のダイアフラム８の外周部８ａが装着される。この場合のカラー７側はすなわち、上記したダイアフラム保持部１７である。したがって、このように蓋６とカラー７とが互いに位置決めされた上でこの両者６，７の間に所定の大きさの軸方向幅ｗを備えた環状の装着空間３５が形成され、この装着空間３５にゴム状弾性材製のダイアフラム８の外周部８ａが装着されると、装着空間３５の軸方向幅ｗが一定であって不変なものであるために、ダイアフラム８がカラー７と蓋６との間に必要以上に強く挟み込まれて破損するのを防止することができる。
【００５４】
尚、上記したように、カラー７に一体成形したスペーサ部３１をブロック状に形成した点については、以下のような効果がある。
【００５５】
すなわち、仮にスペーサ部３１をブロック状ではなく環状のものとしてカラー７の全周に設けると、十分な厚みを確保することができないことが多く、よってスペーサとしての強度に不足を生じる虞があるが、当該実施例では、スペーサ部３１をブロック状のものとして形成したために、十分な強度を確保することができる。また、このブロック状のスペーサ部３１を図３に示したように配置することによって外径寸法が大型化するのを抑えることができ、また、このブロック状のスペーサ部３１に対応して図４に示したようにボディ３に座ぐり状の凹部３３を形成したために、この分、ボディ３を肉抜きして、肉厚を均一にすることができ、更にその軽量化を実現することができる。
【００５６】
【発明の効果】
本発明は、以下の効果を奏する。
【００５７】
すなわち先ず、上記構成を備えた本発明の請求項１による開閉弁においては、弁体部を設けた移動体の移動を摺動自在にガイドするガイド部が弁座部の背面側に一体成形されているために、この互いに一体成形された弁座部およびガイド部は互いに組み付けられることがなく、よって互いの組付けに関して寸法誤差が発生することがない。したがって、移動体は、弁座部と一体のガイド部にガイドされつつ移動してそのまま弁座部に当接し、弁座部に対して偏心したり傾いたりすることなく精度良く当接する。したがって、閉弁時に弁座部および弁体部の間から流体が漏れるのを防止することができ、閉弁時おける流体の送給を完全に停止することができる。
【００５８】
また、ガイド部の内周側に摺動自在に配置される移動体の外周部に切欠状の流体通路が形成されているために、開弁時、移動体がガイド部に摺動自在に接触していても、両者の間には十分な開口面積の流体流路が確保される。したがって、ガイド部が弁座部の背面側に一体成形されて開弁時にガイド部に対して移動部が接触したままであっても、十分な量の流体を送給することが可能となり、流体の送給に支障を来たすことがない。
【００５９】
またこれに加えて、上記構成を備えた本発明の請求項１による開閉弁においては、弁座部およびガイド部を一体成形したカラーに移動体およびダイアフラムを組み付けた状態でこれらの部品を纏めてハウジングに装着するために、これらの内挿部品をハウジングに対して一方向から組み付けることが可能であり、これらの内挿部品をハウジングから一方向に取り外すことが可能である。したがって、組立および分解時における作業性を向上させることができる。
【００６０】
また、上記構成を備えた本発明の請求項２による開閉弁においては、ボディにカラーを差し込んだときに、カラーに設けた位置決め部がボディに当接することによってボディに対するカラーの装着位置の位置決めがなされるとともに、引き続きボディの開口部に蓋を被せたときに、蓋に設けた挟持部がカラーに当接することによってカラーをボディと蓋との間に挟み込むために、カラーをボディと蓋との間にガタつきなしで装着することが可能である。したがって、ハウジング内に固定的に装着されるべきカラーがハウジング内でその差込み方向にガタついたり、閉弁時に移動体および弁体部に押されて移動したりするの防止することができ、よってカラーに設けられる弁座部に対する弁体部の着座姿勢を安定化させることができる。
【００６１】
また、カラーが閉弁時に移動体および弁体部に押されて移動すると、このカラーがダイアフラムに強く噛み込んでダイアフラムを破損させる虞があるが、本発明によればカラーが移動せずダイアフラムに強く噛み込むことがないために、この噛込みによってダイアフラムが破損するのを防止することができる。
【００６２】
更にまた、上記構成を備えた本発明の請求項３による開閉弁においては、ボディの開口部に蓋を被せたときに、カラーに設けたスペーサ部に蓋が当接することによって、蓋とカラーとの間にダイアフラムの外周部を装着する所定の幅を備えた装着空間が形成され、この装着空間の幅が、上記請求項４によるガタつきなしの装着により、不変なものとされるために、ダイアフラムがカラーと蓋との間に必要以上に強く挟み込まれるのを防止することが可能である。したがって、この挟込みによりダイアフラムが破損するのを防止することができる。
【図面の簡単な説明】
【図１】  本発明の実施例に係る圧力感知式開閉弁の断面図
【図２】  同開閉弁の要部断面図
【図３】  カラー単品の斜視図
【図４】  ボディ単品の図２におけるＡ方向矢視図
【図５】  従来例に係る圧力感知式開閉弁の断面図
【符号の説明】
１  開閉弁
２  ハウジング
３  ボディ
３ａ  周壁部
３ｂ  端壁部
３ｃ  開放端部
３ｄ，７ａ  係合部
３ｅ  矩形フランジ部
４  流入口
５  吐出口
６  蓋
６ａ，７ｂ，９ａ  突起部
７  カラー
７ｃ，３１ａ  一端面
７ｄ，３１ｂ  他端面
８  ダイアフラム
８ａ  外周部
８ｂ  内周部
９  移動体
１０  ばね手段
１１  弁室
１２  連通孔
１３，１４  パッキン
１５  弁座部
１６  ガイド部
１７，２２  ダイアフラム保持部
１７ａ，２２ａ  抜止め突起
１８  弁体保持部
１９  弁体部
２０  流体通路
２１  小突起
２３  スプリングリテーナ（リテーナ）
２４，３６  組付ボルト
２５  ダイアフラム室
２６  通気孔
３１  スペーサ部
３２  位置決め部
３３  凹部
３４  挟持部
３５  装着空間
【図１】
0004475370.tif 000002
【図２】
0004475370.tif 000003
【図３】
0004475370.tif 000004
【図４】
0004475370.tif 000005
【図５】
0004475370.tif 000006